(57)【特許請求の範囲】
【請求項１】
携帯型無線通信機と通信を行うための通信インターフェイスと、この通信インターフェイスを介して行う通信を制御する制御手段とを備えた複数の電子機器と、
通信回線を介して通信を行うための無線通信手段と、前記複数の電子機器と通信を行うための通信インターフェイスと、前記複数の電子機器が通信回線を介して夫々接続を行うための接続先に関するアクセス情報が記憶される記憶手段と、通信処理の制御を行う制御手段とを備える携帯型無線通信機とで構成される電子機器の通信システムにおいて、
前記記憶手段には、前記複数のアクセス情報の内、デフォルトとして選択されるものが予め指定されており、
前記携帯型無線通信機の制御手段は、前記複数の電子機器の何れかより、前記通信インターフェイスを介してアクセス情報の読み出し要求があると、前記記憶手段より読み出した前記アクセス情報を前記電子機器に送信し、当該電子機器が前記アクセス情報に基づいて送信した接続先に対する接続要求を受信すると、前記無線通信手段を起動して前記接続先との通信回線を接続し、前記通信インターフェイスを介した接続要求において接続先の指定が省略されている場合には、前記デフォルトとして指定されたアクセス情報を読み出すことを特徴とする電子機器の通信システム。
【請求項２】
前記電子機器の制御手段は、前記携帯型無線通信機より送信されたアクセス情報を、揮発性の記憶手段に記憶させることを特徴とする請求項１記載の電子機器の通信システム。
【請求項３】
前記携帯型無線通信機及び電子機器の制御手段は、前記通信インターフェイスを介して接続された電子機器の接続適格を、前記携帯型無線通信機側が判定するための認証処理を行うように構成されていることを特徴とする請求項１又は２記載の電子機器の通信システム。
【請求項４】
前記通信インターフェイスは、近距離無線通信手段で構成されていることを特徴とする請求項１乃至３の何れかに記載の電子機器の通信システム。
【請求項５】
請求項１乃至４の何れかに記載の電子機器の通信システムに使用されることを特徴とする携帯型無線通信機。
【請求項６】
請求項１乃至４の何れかに記載の電子機器の通信システムに使用されることを特徴とする電子機器。
【請求項７】
携帯型無線通信機と通信を行うための通信インターフェイスと、この通信インターフェイスを介して行う通信を制御する制御手段とを備えた複数の電子機器と、
通信回線を介して通信を行うための無線通信手段と、前記複数の電子機器と通信を行うための通信インターフェイスと、前記複数の電子機器が通信回線を介して夫々接続を行うための接続先に関するアクセス情報が記憶される記憶手段と、通信処理の制御を行う制御手段とを備える携帯型無線通信機とで構成される電子機器の通信システムにおいて、前記携帯型無線通信機の制御手段として機能するコンピュータによって実行されるプログラムであって、
前記記憶手段に、前記複数のアクセス情報の内、デフォルトとして選択されるものが予め指定されている場合、
前記制御手段に、前記複数の電子機器の何れかより、前記通信インターフェイスを介してアクセス情報の読み出し要求があると、前記記憶手段より読み出させた前記アクセス情報を前記電子機器に送信させ、当該電子機器が前記アクセス情報に基づいて送信した接続先に対する接続要求を受信すると、前記無線通信手段を起動させて前記接続先との通信回線を接続させ、前記通信インターフェイスを介した接続要求において接続先の指定が省略されている場合には、前記デフォルトとして指定されたアクセス情報を読み出させることを特徴とするコンピュータプログラム。
【請求項８】
前記制御手段に、前記通信インターフェイスを介して接続された電子機器の接続適格を判定させるための認証処理を行わせることを特徴とする請求項７記載のコンピュータプログラム。
【発明の詳細な説明】
【０００１】
【発明の属する技術分野】
本発明は、複数の電子機器が、携帯型無線通信機を介して無線通信を行うための電子機器の通信システム，及びそのシステムに使用される携帯型無線通信機並びに電子機器、また、携帯型無線通信機及び電子機器の制御手段にその機能を実行させるためのコンピュータプログラムに関する。
【０００２】
【従来の技術】
例えば、パーソナルコンピュータ（パソコン）やＰＤＡ（Personal Digital Assistants ）などがインターネットに接続を行う場合には、プロバイダの電話番号やユーザＩＤ，パスワードやブラウザの設定などに関する情報は、パソコンやＰＤＡが夫々保有するようになっている。
【０００３】
従って、例えば１台のパソコンで複数のサービス，即ち、複数のプロバイダを利用したダイヤルアップ接続や、インターネットバンキングなどを利用する場合の専用アクセスポイントへの接続などを行う場合、ユーザは、利用するサービスを変更する毎に接続の設定を変更する必要があった。
【０００４】
【発明が解決しようとする課題】
斯様な問題を解決するために、複数の接続先に関する情報を予め記憶させる手段を備え、通信時には、それらの情報から設定の選択を行って通信を行うようにしたＰＤＡが考案されている。
【０００５】
しかしながら、近年、家電機器などについてもＩＴ(Information Technorogy)化が進んでおり、従来は想定していなかった様々な種類の電子機器が、インターネットを介して所定のサーバにアクセスし情報を取得することで、その情報に基づく所定の処理を行うようになりつつある（例えば、テレビ，電子レンジ，デジタルカメラなど）。
【０００６】
これに対して、上述したＰＤＡでは、ＰＤＡ上で動作するアプリケーションが利用するための通信接続形態を選択設定するものでしかない。即ち、ＰＤＡは、携帯電話機等を接続して通信を行うが前提であるため、そのような通信に関する設定を複数備えているだけである。
【０００７】
従って、上記のように多様な電子機器が色々な接続先に接続を行うことを想定すると上記ＰＤＡでは対応することができず、ユーザは、やはり夫々の電子機器における接続設定を自ら行う必要があり、煩雑な設定操作を免れることができないという問題がある。
【０００８】
本発明は上記事情に鑑みてなされたものであり、その目的は、複数の電子機器が通信回線を介して夫々の接続先に接続を行う場合の通信設定を、容易に行うことができる電子機器の通信システム，及びそのシステムに使用される携帯型無線通信機並びに電子機器、また、携帯型無線通信機及び電子機器の制御手段にその機能を実行させるためのコンピュータプログラムを提供することにある。
【０００９】
【課題を解決するための手段】
【００１１】
請求項１記載の電子機器の通信システムによれば、携帯型無線通信機の制御手段は、複数の電子機器の何れかより、通信インターフェイスを介してアクセス情報の読み出し要求があると、予め、複数の電子機器に対応するアクセス情報が夫々記憶されている記憶手段より、前記電子機器に対応するアクセス情報を読み出して当該電子機器に送信する。そして、当該電子機器より接続先に対する接続要求があると、無線通信手段を起動して前記接続先との通信回線を接続する。
【００１２】
即ち、複数の電子機器に対応するアクセス情報は携帯型無線通信機の記憶手段に予め記憶されており、何れかの電子機器が携帯型無線通信機にアクセス情報の読み出し要求を与えると、携帯型無線通信機より対応するアクセス情報が当該電子機器に送信され、電子機器側の制御手段によってアクセス情報が認識される。そして、電子機器の制御手段は、そのアクセス情報に基づき、携帯型無線通信機の無線通信手段を介して接続された接続先との通信回線を利用して通信を行い、必要な情報などを取得することが可能となる。従って、電子機器のユーザは、夫々の電子機器について通信を行うための設定を自分で行う必要がなくなるので、利便性を向上させることができる。
【００１３】
また、携帯型無線通信機の制御手段は、通信インターフェイスを介した接続要求において接続先の指定が省略されている場合には、記憶手段において予めデフォルトとして指定されたアクセス情報を読み出す。
【００１４】
即ち、接続要求における接続先の指定が省略されていれば、デフォルトとして指定されたアクセス情報が電子機器側に送信され、当該アクセス情報に基づいて無線通信が行われる。従って、比較的頻度が高い通信に関する設定をデフォルトとして指定することで、携帯型無線通信機と電子機器との間における設定手順を単純化することができる。
【００１５】
請求項２記載の電子機器の通信システムによれば、電子機器の制御手段は、携帯型無線通信機より送信されたアクセス情報を揮発性の記憶手段に記憶させる。即ち、必要な通信が行われた後に電子機器の電源が断たれると、電子機器側の記憶手段上のアクセス情報は消去される。従って、電子機器を正当なユーザでない者が利用してアクセスが不正に行われる可能性を低下させることができる。
【００１６】
請求項３記載の電子機器の通信システムによれば、携帯型無線通信機及び電子機器の制御手段は、通信インターフェイスを介して接続された電子機器の接続適格を判定するための認証処理を行うので、読み出し要求、或いは接続要求を発行した電子機器が携帯型無線通信機を介して通信を行う権利を有するものか否かを判定して、不正使用が行われることを防止できる。
【００１７】
請求項４記載の電子機器の通信システムによれば、通信インターフェイスを近距離無線通信手段で構成する。即ち、例えば、Bluetooth(Bluetooth SIG の登録商標）などを用いて、複数の電子機器と携帯型無線通信機との間で１０ｍ程度の近距離無線通信を行うようにすれば、両者間をケーブルなどで接続する必要がなくなり、利便性を向上させることができる。
【００１８】
【発明の実施の形態】
（第１実施例）
以下、本発明の第１実施例について図１乃至図５を参照して説明する。通信システム全体の構成を示す図１において、電子機器として、パーソナルコンピュータ１（Ａ，Ｂ），ＭＰ３(Moving Picture experts group audio layer 3)プレーヤ２，カーナビゲーション装置３，テレビ４及び電子レンジ５などがある。これらの電子機器は、何れも、インターネット上のＷＷＷ(World Wide Web)サーバや電話回線を介して直接アクセス可能なサーバなどに携帯電話機（携帯型無線通信機）６を介してアクセスし通信を行い、必要な情報を取得して各機器の機能を実行するように構成されている。
【００１９】
携帯電話機６は、各電子機器１〜５との間で近距離無線通信を行うと共に、基地局７及び電話網８を介して接続先と電話回線を接続し、通信を行うようになっている。電話網８には、例えば、インターネット接続業者である複数のプロバイダ（Ａ〜Ｃ）９〜１１や、銀行１２のブラウザバンキングシステムに利用されるサーバ１３などが接続されている。
【００２０】
各プロバイダ９〜１１には、ＵＲＬ(Uniform Resorce Locater) のドメイン名をＩＰ(Internet Protocol) アドレスに変換するためのＤＮＳ(Domain Name System)サーバ１４〜１６，電子メールの送受信に利用されるメールサーバ（ＳＭＴＰ(Simple Mail Transfer Protocol) ／ＰＯＰ(Post Office Protocol を含む）１７〜１９，ダウンロードデータのキャッシュを行うプロキシサーバ２０〜２２などが配置されている。また、プロバイダ９〜１１には、インターネット２３を介してＷＷＷサーバ２４〜２６が接続されている。
【００２１】
図２は、携帯電話機６の電気的構成を示す機能ブロック図である。携帯電話機６は、送話用のマイク２７及び受話用のスピーカ２８を備えており、これらを介して入出力される音声信号は、音声コーデック等を含む音声処理部２９において処理されるようになっている。無線部（無線通信手段）３０は、音声処理部２９より出力された送信信号を例えばπ／４シフトＤＱＰＳＫ(Differential Quadrature Phase Shift Keying)信号に変換し直交変調することで、８００ＭＨｚ帯の電波信号をアンテナ３１より基地局７に送信するようになっている。また、無線部３０は、基地局７より送信されアンテナ３１が受信した信号を復調して、音声処理部２９に出力するようになっている。
【００２２】
ＣＰＵ（マイクロコンピュータ，制御手段）３２は、メモリ（記憶手段）３３のＲＯＭに記憶されている制御プログラム５０に基づいて動作し、音声処理部２９及び無線部３０を制御するようになっている。また、ＣＰＵ３２は、ユーザがキー操作部３４を操作した場合に操作信号が与えられ、その操作信号に応じた処理を行なうと共に、ＬＣＤなどで構成される表示部３５に表示制御信号を出力して画面表示を制御するようになっている。
【００２３】
バッテリ（二次電池）３６は、携帯電話機６の各電気的構成部に動作用電源Ｖccを供給するものである。また、携帯電話機６はBluetooth 通信部（近距離無線通信手段，通信インターフェイス）３７を備えており、ＣＰＵ３２は、Bluetooth 通信部３７を用いて近距離無線通信（例えば、通信距離１０ｍ前後）を行なうようになっている。
【００２４】
一方、図３は、電子機器１〜５の電気的構成を概略的に示すものである。実際には、各電子機器１〜５の電気的構成は夫々異なるが、それらを概括した本発明の要旨に懸かる部分だけを図３に示している。即ち、電子機器１〜５は、夫々の機能をなす本体機能部３８，その本体機能部３８などを制御する制御部（コンピュータ，制御手段）３９，ＲＯＭ及びＲＡＭで構成され、制御プログラム４０等が記憶されているメモリ４１及びBluetooth 通信部（近距離無線通信手段，通信インターフェイス）４２を備えている。そして、制御部３９は、本体機能部３８からの要求に応じて、Bluetooth 通信部４２を起動し、携帯電話機６との間で近距離無線通信を行うようになっている。
【００２５】
図４は、携帯電話機６のメモリ３３に予め記憶されている、各電子機器１〜５の通信設定情報（アクセス情報）テーブルの内容を示すものである。例えば、テレビ４は、銀行１２のサーバ１３にアクセスしてブラウザバンキングを行うために利用されるため、通信設定情報としては、銀行１２指定の電話番号とユーザＩＤ，パスワードがある。
【００２６】
また、ＭＰ３プレーヤ２，カーナビゲーション装置３，電子レンジ５及びパソコン１Ａは、共通のプロバイダ（Ａ）９を経由してインターネット２３に接続を行うため、接続先電話番号，ユーザＩＤ及びパスワードは共通である。但し、ＭＰ３プレーヤ２，カーナビゲーション装置３，電子レンジ５は、夫々異なるＷＷＷサーバ２４〜２６にアクセスして必要な情報（例えば、楽曲データ，地域情報，調理情報など）を取得するため、アクセス先のドメイン名（またはＩＰアドレス）は異なっている。また、パソコン１Ａについても、ブラウザがホームとして最初にアクセスするドメイン名を別途設定している。
【００２７】
更に、パソコン１Ｂについては、異なるプロバイダ（Ｂ）１０を経由してインターネット２３に接続を行うため、接続先電話番号，ユーザＩＤ及びパスワードはパソコン１Ａ等と異なっている。
【００２８】
ＤＮＳサーバに関する設定は、ＴＥＬＮＥＴやＦＴＰ(File Transfer Protocol)を利用する場合には、端末側が一旦ＩＰアドレスを取得して直接送信する必要がある場合に、サーバアドレスを指定して行う。また、プロキシサーバに関する設定も、プロバイダの種類に応じて設定を要求される場合に行う。メール設定は、パソコン１Ａ，１Ｂなどメーラを使用するものにおいて、ＳＭＴＰサーバ名やＰＯＰサーバ名の指定やＰＯＰユーザＩＤ，ＰＯＰパスワードの入力が要求される場合に行う。
【００２９】
その他、ログインを行うためのスクリプトが別途存在する場合や、ゲートウェイアドレスの指定が必要な場合（例えば、社員が外出先から自社のネットワークにアクセスを行う場合など）には、それらの設定も行う。
【００３０】
ここで、メモリ３３の先頭に配置されているテレビ４に関する情報の設定はデフォルト指定となっている。そして、デフォルト指定された情報については、テレビ４側より具体的な接続先の指定がない場合でも、デフォルト指定に基づいて接続が行われる。
【００３１】
尚、例えば、電子機器１〜５及び携帯電話機６が同一のメーカによって製造される場合には、電子機器１〜５に関する通信設定情報は予め分かっているので、携帯電話機６のメモリ３３には出荷段階でこれらの情報を記憶させるようにしても良い。ユーザＩＤ及びパスワードについては、電子機器１〜５に付随して設定されるものである場合には出荷段階で記憶させることができる。また、フィールドにおいて、電子機器１〜５側より携帯電話機６に例えばＡＴコマンド（ＡＴ＋ＣＯＮＦＩＧ×××−×××−…）を送信することで、これらの情報をメモリ３３に書込ませるようにしても良い。
【００３２】
次に、本実施例の作用について図５をも参照して説明する。図５は、携帯電話機６と電子機器１〜５との間で行われる通信のシーケンスを示すものである。例えば、携帯電話機６を所持したユーザがＭＰ３プレーヤ２に対して数ｍ程度に接近すると、両者のBluetooth 通信部３７，４２との間で通信リンク（ピコネット）が確立され、近距離無線通信が可能な状態となる。そして、携帯電話機６のＣＰＵ３２は、ＭＰ３プレーヤ２に対して認証処理が可能であることを示す信号“認証Ｒｅａｄｙ”を送信する（▲１▼）。
【００３３】
ＭＰ３プレーヤ２の制御部３９は、“認証Ｒｅａｄｙ”を受信したことによって“認証要求”を携帯電話機６側に送信する（▲２▼）。すると、両者の間で認証手順が実行される（▲３▼）。認証手順は、例えばＭＰ３プレーヤ２が携帯電話機６に認証用のデータやパスワードなどを送信し、携帯電話機６側でそれらのデータ等に所定の演算を施して、その演算結果で認証判定を行うなどする。
【００３４】
認証手順の結果、携帯電話機６がＭＰ３プレーヤ２の接続を承認する場合は、“認証承認”をＭＰ３プレーヤ２側に送信する（▲４▼）。ＭＰ３プレーヤ２は、  “認証承認”を受けて、携帯電話機６に“接続先情報要求”を送信する（▲５▼）。携帯電話機６は、“接続先情報要求”を受信すると、メモリ３３に記憶されているＭＰ３プレーヤ２の通信設定情報を読み出して、ＭＰ３プレーヤ２側に送信する（▲６▼）。
【００３５】
ＭＰ３プレーヤ２は、送信された接続先情報をメモリ４１に書込んで設定を行うと（▲７▼）、その設定に基づく“発信要求”を、接続先の指定を具体的に行って携帯電話機６に送信する（▲８▼）。携帯電話機６は“発信要求”を受信すると、発信を受け付けたことの確認応答である“発信応答（ＣＯＮＮＥＣＴ）”をＭＰ３プレーヤ２側に送信する（▲９▼）。
【００３６】
そして、携帯電話機６が、無線部３０を介して基地局７と無線通信を行い、プロバイダ（Ａ）９を介して例えばＷＷＷサーバ２４にアクセスを行うと、ＭＰ３プレーヤ２は、ＷＷＷサーバ２４より所望の楽曲データ（ＭＰ３形式）を携帯電話機６を介してダウンロードする（“10”）。そして、電子機器側の切断要求により両者間の通信が終了すると、携帯電話機６は、通信が終了したことを示す終了応答（ＮＯ  ＣＡＲＲＩＥＲ）をＭＰ３プレーヤ２側に返す（“11”）。
【００３７】
また、ＭＰ３プレーヤ２は、ＷＷＷサーバ２４に対するアクセスが終了すると、メモリ４１に書込まれた通信設定情報を消去する。即ち、ＭＰ３プレーヤ２のメモリ４１には、ＷＷＷサーバ２４に対するアクセスを行う間だけ通信設定情報が存在することになる。
【００３８】
また、上述したように、ユーザが銀行１２のブラウザバンキングサービスを利用するため、テレビ４が携帯電話機６と通信を行って銀行１２のサーバ１３にアクセスする場合には、▲８▼の発信要求において接続先の指定を省略することができる。例えば、ＡＴコマンドを使用する場合には、その引数を省略する。その場合、携帯電話機６のＣＰＵ３２は、メモリ３３のテーブル先頭に配置されているテレビ４についての設定から接続先の電話番号を読み出して自動的に発呼する。
【００３９】
以上のように本実施例によれば、携帯電話機６のＣＰＵ３２は、複数の電子機器１〜５の何れかより通信設定情報の読み出し要求があると、メモリ３３より、前記電子機器に対応する通信設定情報を読み出して送信し、当該電子機器より接続先に対する接続要求があると、無線部３０により接続先との通信回線を接続するようにした。従って、電子機器１〜５のユーザは、夫々の電子機器について通信を行うための設定を自分で行う必要がなくなるので、利便性を向上させることができる。
【００４０】
また、電子機器１〜５の制御部３９は、携帯電話機６を介して接続先との通信を行った後、携帯電話機６より送信された通信設定情報を消去するので、必要な通信処理が行われた後に、通信設定情報は電子機器１〜５側には残らなくなる。従って、電子機器１〜５を正当なユーザでない者が利用してアクセスが不正に行われる可能性を低下させることができる。
【００４１】
更に、本実施例によれば、携帯電話機６のＣＰＵ３２及び電子機器１〜５の制御部３９は、Bluetooth 通信部３７，４２を介して接続された電子機器の接続適格を判定するための認証処理を行うので、読み出し要求を発行した電子機器が携帯電話機６を介して通信を行う権利を有するものか否かを判定して、不正使用が行われることを防止できる。
そして、Bluetooth 通信部３７，４２を用いたことにより、複数の電子機器１〜５と携帯電話機６との間をケーブルなどで接続する必要がなくなり、利便性を向上させることができる。
【００４２】
加えて、本実施例によれば、携帯電話機６のＣＰＵ３２は、接続要求において接続先の指定が省略されている場合には、メモリ３３において予めデフォルトとして指定された通信設定情報を読み出して発呼するので、比較的頻度が高い通信に関する設定をデフォルトとして指定することで、携帯電話機６と電子機器１〜５との間における設定手順を単純化することができる。
【００４３】
（第２実施例）
図６は、本発明の第２実施例を示すものである。第２実施例の基本的な構成は第１実施例と同様であるが、電子機器１〜５と携帯電話機６との間の通信手順が異なっている。即ち、図６に示すように、電子機器１〜５は、第１実施例と同様に認証手順を行った後（▲１▼）、携帯電話機６に対して自動接続の発信要求を行う（▲２▼）。
【００４４】
すると、携帯電話機６は、接続先との通信回線を接続する（▲３▼）。例えば、テレビ４が銀行１２のサーバ１３にアクセスする場合において、携帯電話機６のＣＰＵ３２は、テレビ４についての通信設定情報をメモリ３３から読み出して、接続先電話番号に発呼する。
【００４５】
サーバ１３との通信回線が接続され、サーバ１３がログインのための入力を促すと（ログインプロンプト，▲４▼）、携帯電話機６のＣＰＵ３２は、テレビ４についてのユーザＩＤやパスワードをサーバ１３側に送信してログイン手順を行う  （▲５▼）。そして、ログインが完了すると、携帯電話機６は、テレビ４側に発信応答（ＬＯＧＩＮ）を送信する（▲６▼）。すると、テレビ４とサーバ１３との間で、携帯電話機６を介して通信処理が行われる（▲７▼）。
【００４６】
テレビ４が必要な通信を行った後、切断要求を携帯電話機６に送信すると（▲８▼）、携帯電話機６は、サーバ１３との間でログアウト手順を実行する（▲９▼）。そして、ログアウトが完了すると、携帯電話機６は、テレビ４側に切断応答（ＬＯＧＯＵＴ）を送信する（“10”）。
【００４７】
以上のように第２実施例によれば、携帯電話機６のＣＰＵ３２は、複数の電子機器１〜５の何れかより接続先に対する接続要求があると、メモリ３３より読み出したアクセス情報に基づき接続先との通信回線を接続するように制御する。即ち、本来電子機器１〜５が行う通信の設定処理を携帯電話機６が代行するので、第１実施例と同様に、電子機器１〜５のユーザは、夫々の電子機器１〜５について通信を行うための設定を自分で行う必要がなくなり、利便性を向上させることができる。
【００４８】
本発明は上記し且つ図面に記載した実施例にのみ限定されるものではなく、次のような変形または拡張が可能である。
電子機器は、その他、楽曲情報をダウンロードするＣＤプレーヤ，カーステレオ，ＤＰＥサービスやＣＤ−ＲＯＭ作成サービスの提供を受けるカメラ，小説や週刊誌などの配信サービスを受けるｅＢＯＯＫ，また、番組データをダウンロードするテレビやビデオなどでも良い。
電子機器１〜５と携帯電話機６との通信インターフェイスは、Bluetooth に限ることなく、ＲＳ−２３２ＣやＵＳＢ(Universal Serial Bus)など有線形式のものでも良い。
メモリ４１の設定情報の消去は、要求されるセキュリティのレベルに応じて行えば良い。また、設定情報をＤＲＡＭ等の揮発性の記憶手段に書込むことで、電子機器の電源がＯＦＦされると共に設定情報が自動的に消去されるようにしても良い。
【００４９】
また、電子機器１〜５と携帯電話機６との間における認証処理についても、要求されるセキュリティのレベルに応じて適宜行えば良い。
例えば同一のパソコン１Ａを複数のユーザで使用する場合は、パソコン１Ａに関する設定情報を夫々のユーザＩＤ毎に記憶させておき、“認証要求”の段階でユーザＩＤを携帯電話機６側に送信するようにして、そのユーザＩＤに基づく設定情報をメモリ３３より読み出すようにしても良い。
携帯型無線通信機は、携帯電話機６に限ることなくＰＨＳ(Personal Handyphone System)でも良い。また、電話機に限ることなく無線通信を行うものであれば良い。
【図面の簡単な説明】
【図１】本発明の第１実施例であり、通信システム全体の構成を示す図
【図２】携帯電話機の電気的構成を示す機能ブロック図
【図３】電子機器の電気的構成を概略的に示す図
【図４】携帯電話機のメモリに記憶されている、各電子機器の通信設定情報の一例を示す図
【図５】携帯電話機と電子機器との間で行われる通信シーケンスを示す図
【図６】本発明の第２実施例を示す図５相当図
【符号の説明】
１〜５は電子機器、６は携帯電話機（携帯型無線通信機）、３０は無線部（無線通信手段）、３２はＣＰＵ（コンピュータ，制御手段）、３３はメモリ（記憶手段）、３７はBluetooth 通信部（近距離無線通信手段，通信インターフェイス）、３９は制御部（コンピュータ，制御手段）、４０は制御プログラム、４２はBluetooth 通信部（近距離無線通信手段，通信インターフェイス）、５０は制御プログラムを示す。
【図１】
0004356259.tif 000002
【図２】
0004356259.tif 000003
【図３】
0004356259.tif 000004
【図４】
0004356259.tif 000005
【図５】
0004356259.tif 000006
【図６】
0004356259.tif 000007